(57)【要約】【課題】開状態にしたパネルの上面に物を載せた場合に、パネルが開状態となってから所定時間経過後に自動的に閉状態となると、パネル上面に載せられた物体が落下してしまうことを防ぐ電動パネルを提供する。【解決手段】電子機器本体の前面に配置されるパネル３と、パネル３が電子機器１の前面に配置された閉状態と電子機器１の前面の少なくとも一部が現れるように配置された開状態との間でパネル３を駆動する駆動部２３と、を備える電動パネルにおいて、パネル３の開閉状態を検出する動作位置検出部３２と、パネル３の開状態における上面に存在する物体を検出する物体検出部３３と、動作位置検出部３２と物体検出部３３の出力に基づき、パネル３が開状態と検出され、パネル３の上面に物体が検出された場合に、駆動部２３による閉状態への切り替えを行わないように制御する制御部３４と、を備える。【選択図】        図２
2005267707.tif 000002
【特許請求の範囲】
【請求項１】
電子機器本体の前面に配置されるパネルと、
該パネルが前記電子機器本体の前面に配置された閉状態と、前記電子機器本体の前面の少なくとも一部が現れるように配置された開状態との間でパネルを駆動する駆動手段と、
を備える電動パネルにおいて、
前記パネルの開閉状態を検出する動作位置検出手段と、
前記パネルの開状態における上面に存在する物体を検出する物体検出手段と、
前記動作位置検出手段および前記物体検出手段の出力に基づき、前記パネルが開状態と検出され、前記パネルの上面に物体が検出された場合に、前記駆動手段による閉状態への切り替えを行わないように制御する制御手段と、
を備えること特徴とする電動パネル。
【請求項２】
移動体に設置される電子機器本体の前面に配置されるパネルと、
該パネルが前記電子機器本体の前面に配置された閉状態と、前記電子機器本体の前面の少なくとも一部が現れるように配置された開状態との間で前記パネルを駆動する駆動手段と、
前記パネルの開閉状態を検出する動作位置検出手段と、
前記移動体の速度情報を取得する速度情報取得手段と、
前記動作位置検出手段および前記速度情報取得手段の出力に基づき、前記移動体が所定の速度以上で走行し、前記パネルが開状態と検出された場合に、前記パネルを閉状態に切り替えるように前記駆動手段を制御する制御手段と、
を備える電動パネルにおいて、
前記パネルの開状態における上面に存在する物体を検出する物体検出手段を備え、
前記制御手段は、前記動作位置検出手段および前記速度情報取得手段の出力に基づき、前記移動体が所定の速度以上で走行し、前記パネルが開状態と検出された場合でも、前記物体検出手段の出力に基づいて前記パネルの上面に物体が検出された場合に、前記駆動手段による閉状態への切り替えを行わないこと特徴とする電動パネル。
【請求項３】
前記電動パネルが開状態と検出され、前記パネルの上面に物体が検出された場合に、前記パネルの上面に物体が存在することを警告する警告出力手段をさらに備えることを特徴とする請求項１または２に記載の電動パネル。
【請求項４】
前記物体検出手段は、抵抗感圧式または光位置検出式のタッチセンサであることを特徴とする請求項１〜３のいずれか１つに記載の電動パネル。
【請求項５】
前記パネルは、閉状態での前面に前記電子機器の操作ボタンと表示手段を有するとともに、開状態がその前面を上面となるように駆動される構成を有する場合に、
前記物体検出手段は、前記パネルの前記操作ボタンと前記表示手段を兼ねたタッチパネルであることを特徴とする請求項４に記載の電動パネル。
【発明の詳細な説明】
【技術分野】
【０００１】
本発明は、オーディオやビデオなどの記録媒体の挿入口が前面のパネルに隠された電子機器において、記録媒体の挿入または取り出しの際にその挿入口が現れるように開閉される電動パネルに関するものである。
【背景技術】
【０００２】
従来、映像や音楽を視聴する電子機器には、通常、種々の操作ボタンや液晶などの操作パネル部が配置されるとともに、たとえばＭＤ（Mini Disc）やＣＤ（Compact Disc），ＤＶＤ（Digital Versatile DiscまたはDigital Video Disc）などの記録媒体を挿入する挿入口を設ける必要がある。しかし、小型化が要求されるような電子機器、たとえば車載用のステレオやナビゲーションシステムなどの電子機器（以下、車載用電子機器という）の場合は、規定形状の領域内に装着される必要があるために、操作パネル部を開放し、車載用電子機器本体の前面に設けられた挿入口にＭＤやＣＤ，ＤＶＤなどの記録媒体を挿入する構造のものが実現されている。ここで、操作パネル部を含む開放される（駆動される）部分をパネルというものとする。図１−１〜図１−３は、車載用電子機器におけるパネルの閉じた状態と開いた状態を示す図である。図１−１のパネル３が閉じた状態（以下、閉状態という）から記録媒体の挿入または取り出しを行うには、図１−２に示されるように前面のパネル３はその下端を前方にスライドさせるとともにその表示面３１ａを上方に向けて徐々に回転させて、図１−３に示されるようにパネル３の表示面３１ａがほぼ水平となるまで可動させられる。この図１−３に示される状態になると、機器本体２の前面部２ａに配置されるＭＤやＣＤ，ＤＶＤなどの再生装置２１ａ〜２１ｃの記録媒体挿入口２２ａ〜２２ｃが現れ、記録媒体の挿入または取り出しが可能となる。この図１−３のパネル３の状態を以下では開状態という。記録媒体の挿入または取り出しが終了した後に、自動的にまたは使用者による閉動作の指示で、電動パネルは図１−２の状態を経て図１−１の閉状態へと自動的に戻る。
【０００３】
ところで、車載用電子機器１の場合、パネル３が開状態のままで該車載用電子機器１を搭載する車両が走行すると、このパネル３が突起物となってしまい衝突事故が発生した場合に安全性に問題がある。そこで、第１の従来技術では、車両の走行中にパネル３が開状態にあることを検出すると、パネル３を閉じることを促す警告音声を出力するようにしている（たとえば、特許文献１参照）。しかし、この第１の従来技術では、パネル３を動作させて開状態にして記録媒体の出し入れを行う場合に、記録媒体の出し入れを行わなければ開状態のままとなってしまうという問題点があった。たとえば、パネル３を開状態のままで車両が走行状態にあると、パネル３を閉じるように警告音声が発せられるが、使用者がその警告音声を無視すればその状態が維持されてしまい、走行時の安全性に問題がある。そこで、第２の従来技術では、車両の走行時においては、パネル３の開状態を所定時間に限り許容し、所定時間を経過すると自動的にパネル３を閉じるように設定し、車両の停止時においては所定の時間を経過してもパネル３を閉じないようにして、車両の走行状態に応じてパネル３の開閉を制御するようにしている（たとえば、特許文献２参照）。
【０００４】
【特許文献１】特開２００１−２７０３９０号公報
【特許文献２】特開２０００−１０５９９０号公報
【発明の開示】
【発明が解決しようとする課題】
【０００５】
しかしながら、第２の従来技術に記載の車載用電子機器の場合には、パネルを動作させて開状態にした際に、使用者が水平になったパネルの上面にたとえばＣＤなどの記録媒体の収納ケースや飲料の容器などを一時的に載せている場合であっても、車両が走行して所定の時間が経過するとパネルを自動的に閉じてしまい、パネルの上面に載せたものが落下してしまうという問題点があった。
【０００６】
本発明が解決しようとする課題には、上述した第２の従来技術において生じる開状態にしたパネルの上面に物を載せた場合に、パネルが開状態となってから所定時間経過後に自動的に閉状態となると、パネル上面に載せられた物体が落下してしまうという問題が一例として挙げられる。
【課題を解決するための手段】
【０００７】
請求項１に記載の発明は、電子機器本体の前面に配置されるパネルと、該パネルが前記電子機器本体の前面に配置された閉状態と、前記電子機器本体の前面の少なくとも一部が現れるように配置された開状態との間でパネルを駆動する駆動手段と、を備える電動パネルにおいて、前記パネルの開閉状態を検出する動作位置検出手段と、前記パネルの開状態における上面に存在する物体を検出する物体検出手段と、前記動作位置検出手段および前記物体検出手段の出力に基づき、前記パネルが開状態と検出され、前記パネルの上面に物体が検出された場合に、前記駆動手段による閉状態への切り替えを行わないように制御する制御手段と、を備えることを特徴とする。
【０００８】
また、請求項２に記載の発明は移動体に設置される電子機器本体の前面に配置されるパネルと、該パネルが前記電子機器本体の前面に配置された閉状態と、前記電子機器本体の前面の少なくとも一部が現れるように配置された開状態との間で前記パネルを駆動する駆動手段と、前記パネルの開閉状態を検出する動作位置検出手段と、前記移動体の速度情報を取得する速度情報取得手段と、前記動作位置検出手段および前記速度情報取得手段の出力に基づき、前記移動体が所定の速度以上で走行し、前記パネルが開状態と検出された場合に、前記パネルを閉状態に切り替えるように前記駆動手段を制御する制御手段と、を備える電動パネルにおいて、前記パネルの開状態における上面に存在する物体を検出する物体検出手段を備え、前記制御手段は、前記動作位置検出手段および前記速度情報取得手段の出力に基づき、前記移動体が所定の速度以上で走行し、前記パネルが開状態と検出された場合でも、前記物体検出手段の出力に基づいて前記パネルの上面に物体が検出された場合に、前記駆動手段による閉状態への切り替えを行わないことを特徴とする。
【発明を実施するための最良の形態】
【０００９】
以下に添付図面を参照して、本発明にかかる電動パネルの好適な実施例を詳細に説明する。なお、これらの実施例により本発明が限定されるものではない。
【実施例１】
【００１０】
この実施例１では、パネルが開状態となってから所定期間経過後に自動的にパネルを閉状態とするように設定されている電動パネルを例に挙げて説明する。図２は、本発明にかかる電動パネルが適用される電子機器の概略構成を示すブロック図である。この電子機器１は、背景技術で説明した図１−１〜図１−３に示されるように、ＭＤやＣＤ，ＤＶＤなどの記録媒体の挿入口２２ａ〜２２ｃを有する機器本体２の前面部２ａに、電子機器１を操作するためのパネル３が設けられ、記録媒体の出し入れに際してこのパネル３が開閉される構成を有するものとする。この電子機器１は、ＭＤやＣＤ，ＤＶＤなどの記録媒体を再生する再生装置２１ａ〜２１ｃを含む機器本体２と、記録媒体の出し入れ時に開閉可能に機器本体２の前面部２ａに取り付けられるパネル３と、を備えて構成される。
【００１１】
機器本体２には、再生装置２１〜２３のほかに、パネル３を駆動するための駆動部２３が設けられる。この駆動部２３は、駆動源としてのモータと、複数の歯車やアーム部材、スライド部材などを組み合わせて、図１−１〜図１−３に示されるように、機器本体２の前面に配置されるパネル３を、その下端を前方にスライドさせるとともにその前面を上方に向けて徐々に回転させて、その前面がほぼ水平となるように駆動させる機構を有する。
【００１２】
パネル３は、パネル３が設けられる電子機器１を操作するためのボタンや表示部を備える操作パネル部３１と、パネル３の動作位置を検知する動作位置検出部３２と、パネル３の開状態における上面に載せられている物を検出する物体検出部３３と、これらの各処理部からの信号を基に電子機器１の制御を行う制御部３４と、パネル３上の物体を取り除けるように音声や視覚などによって注意を促す警告出力部３５と、を備えて構成される。なお、本発明では、パネル３と駆動部２３を合わせたものを電動パネルという。
【００１３】
操作パネル部３１は、液晶ディスプレイなどからなる画像情報などを表示する表示部３１１と、電子機器１に対する操作を行う操作ボタン３１２とを備えている。たとえば、電子機器１がカーステレオの場合には、操作ボタン３１２として、電源のオン／オフ、記録媒体の挿入や取り出し、曲の再生などを選択するためのボタンなどがあり、表示部３１１には、現在の電子機器１の状態や演奏している曲の情報などが表示される。なお、以下の説明では、図１−１〜図１−３のパネル３における表示部３１１側の面を表示面３１ａという。
【００１４】
動作位置検出部３２は、パネル３の動作状態を検知する機能を有し、たとえば、図１−１に示されるようにパネル３が閉状態にあるのか、または図１−３に示されるようにパネル３が開状態にあるのかを検出する。この検出は、たとえばパネル３の表示面３１ａの水平面とのなす角度を求めたり、駆動部２３によるパネル３の駆動状況を取得したりすることによって行われる。動作位置検出部３２によって検出されたパネル３の動作状態は制御部３４に出力される。なお、以下の説明では、パネル３は図１−１〜図１−３の間の範囲を可動範囲とするが、図１−１と図１−３以外の位置では停止しないものとする。
【００１５】
物体検出部３３は、パネル３が開状態のときに、表示面３１ａ上に物体が存在するか否かを検出し、物体を検知した場合の検知信号を制御部３４に出力する機能を有する。物体検出部３３として、たとえばタッチセンサを用いることができる。図３は、抵抗感圧式のタッチセンサを物体検出部として用いた場合のパネルの断面の概略構成を示す図である。この図３に示されるように、抵抗感圧式のタッチセンサ３３１は、操作パネル部３１の表示部３１１の表示面３１ａ上に貼り付けられる。この抵抗感圧式のタッチセンサ３３１は、図３に示されるように、表示面３１ａの垂直方向に向かい合う上部抵抗層３３２Ａと下部抵抗層３３２Ｂの２枚の透明な抵抗層を有して構成される。これらの抵抗層３３２Ａ，３３２Ｂは、例えば、インジウムスズ酸化物（ＩＴＯ）をガラスまたは高分子フィルム３３３Ａ，３３３Ｂに蒸着して形成されている。上部抵抗層３３２Ａと下部抵抗層３３２Ｂのそれぞれには電圧が印加されており、抵抗感圧式のタッチセンサ３３１上に物体が載せられるとその物体の重さによって上部抵抗層３３２Ａと下部抵抗層３３２Ｂとが接触して抵抗値が検知される。そして、この抵抗値によって、表示面３１ａ上の物体の存在を検出することができる。
【００１６】
また、図４は、光位置検出式のタッチセンサの概略構成を示す図である。光位置検出式のタッチセンサ３３４は、操作パネル部３１の前面に嵌めることができる大きさの枠３３５に、発光素子３３６と受光素子３３７とが互いに対向するように配置された一組の検出素子を複数備える構成を有する。具体的には、たとえば枠３３５の辺３３５Ａには発光素子３３６を所定の間隔で配置し、辺３３５Ａに対向する辺３３５Ｃのそれぞれの発光素子３３６と対向する位置に受光素子３３７を配置する。また、辺３３５Ｂには発光素子３３６を所定の間隔で配置し、辺３３５Ｂに対向する辺３３５Ｄのそれぞれの発光素子３３６と対向する位置に受光素子３３７を配置する。通常の状態では、発光素子３３６からは常に光が出射されており、受光素子３３７では自素子の正面に対向して配置される発光素子３３６からの光を受光している。すなわち、操作パネル部３１上には、碁盤の目のように光が張り巡らされている状態となっている。このような状態から表示部３１１上に物体が載置されると、物体に遮られて対向する発光素子３３６からの光を受光できない受光素子３３７が生じることになる。このように、受光素子３３７で光を受光できない場合に、操作パネル部３１上に物体が存在することを検出することができる。なお、この枠３３５はパネル３の表示面３１ａ側に嵌められて設けられるが、枠３３５を嵌めこんだときに、操作ボタン３１２などの障害物によって発光素子３３６からの光が遮られない高さの位置に発光素子３３６と受光素子３３７が設けられる必要がある。また、図４では、発光素子３３６と受光素子３３７が枠３３５に取り付けられている状態を強調して模式的に示しており、実際の縮尺とは異なるものである。さらに、これらのタッチセンサ３３１，３３４において、一時的に（瞬間的に）使用者の指などが触れた場合と、物体が載せられた場合とを区別するために、所定の時間継続して抵抗値または光の遮断を検出したときに、物体が載せられた旨を示す信号を出力するように構成することが望ましい。
【００１７】
制御部３４は、電子機器１全体の制御を行うが、本発明に関係する機能では、所定の基準にしたがって、パネル３の開閉状態の制御を行う機能を有する。この実施例１では、パネル３の開閉の制御方法として、パネル３が開状態にありかつ表示面３１ａ上に物体が載置された状態にある場合に、パネル３を閉じないように駆動部２３を制御することを特徴とする。またこのとき、警告出力部３５に対して、パネル３の表示面３１ａ上の物体が存在することを示す信号を出力する。
【００１８】
警告出力部３５は、制御部３４によって操作パネル部３１上に物体が存在すると判定された旨の信号を受け取ると、使用者に対してその物体を取り除くように視覚や音声を用いて注意を促す信号を出力する機能を有する。出力の方法としては、表示部３１１にその物体を取り除く旨を表示させたり、使用者によって視認可能な位置にＬＥＤ（Light Emitting Diode）などのインジケータを配置して注意を促すように点灯または点滅させたり、スピーカからその旨を知らせる音声を出力させたりすることができる。なお、表示部３１１に警告情報を表示する場合には、警告出力部３５は表示部３１１と同じ物となり、スピーカに警告情報を出力する場合には、警告出力部３５はスピーカとなる。
【００１９】
ここで、本発明にかかる電動パネルの動作について説明する。図５は、電動パネルの動作手順の一例を示すフローチャートである。まず、使用者からのパネル３を開く指示を操作ボタン３１２を介して受けると、制御部３４は駆動部２３に対してパネル３を開状態とするように指示を与え、駆動部２３はパネル３を図１−１の閉状態から図１−３に示されるように開状態へと駆動する（ステップＳ１１）。つぎに、制御部３４は、パネル３が開いてから所定の時間経過したか否かを判定し（ステップＳ１２）、所定時間経過していない場合（ステップＳ１２でＮｏの場合）には、再生装置２１に記録媒体の挿入または取り出しの操作があったか否かを判定する（ステップＳ１３）。このとき、記録媒体の挿入または取り出しの操作があった場合（ステップＳ１３でＹｅｓの場合）、またはステップＳ１２で所定時間が経過した場合（ステップＳ１２でＹｅｓの場合）には、制御部３４は物体検出部３３からの信号によりパネル３上に物体が存在するか否かを判定する（ステップＳ１４）。制御部３４によってパネル３上に物体が存在しないと判定された場合（ステップＳ１４でＮｏの場合）には、駆動部２３に対してパネル３を閉じるように指示を出し、駆動部２３はパネル３を閉じる動作を行って図１−１に示される閉状態にし（ステップＳ１５）、処理が終了する。
【００２０】
一方、ステップＳ１４で制御部３４によってパネル３上に物体が存在すると判定された場合（ステップＳ１４でＹｅｓの場合）には、制御部３４はその旨の信号を警告出力部３５に出力し、警告出力部３５ではその信号を受けて使用者に対して音声や視覚によってパネル３上の物体を除くように警告を与える（ステップＳ１６）。また、制御部３４は、駆動部２３に対してパネル３を閉じる動作を行わないようにしてパネル３の開状態を継続し（ステップＳ１７）、ステップＳ１２へと戻り、上述した処理を繰り返す。また、ステップＳ１３で記録媒体の挿入または取り出しがなかった場合（ステップＳ１３でＮｏの場合）にも、パネル３の開状態を継続し（ステップＳ１７）、再びステップＳ１２へと戻り、上述した処理を繰り返す。
【００２１】
なお、上述した説明では、操作パネル部３１の表示面３１ａ上に物体検出部３３としてタッチセンサを設ける構成としたが、操作パネル部３１をタッチパネルとして、操作パネル部３１と物体検出部３３とを共通化することもできる。このように構成することによって、電動パネルの構成部品の点数を削減することができる。
【００２２】
この実施例１によれば、開状態にあるパネル３の表示面３１ａ上に物体が存在する場合には、パネル３が開状態になってから所定時間経過してもまたは所定の動作が完了しても、自動的にパネル３を閉状態にすることがないので、パネル３の表示面３１ａ上にある物体を落下させることがない。また、パネル３の表示面３１ａ上に物体が載置された状態を検知すると、その物体を取り除くように警告を発するようにしたので、パネル３上に物体が載っていることを使用者に知らせることができるとともに、パネル３上に物体を載せっぱなしとする状態を防ぐこともできる。
【実施例２】
【００２３】
実施例１では、パネルを開いてから所定時間経過した後にパネルを閉じるように設定されている電子機器の場合を説明した。しかし、このような電子機器は車載用電子機器として使用されることも多い。この実施例２では、電子機器が移動体としての車両に搭載され、パネルを開いてから所定時間経過した後にパネルを閉じるとともに、車両が走行中にパネルが開状態にあるときにも自動的にパネルを閉状態とするように設定される電動パネルを例に挙げて説明する。
【００２４】
図６は、本発明にかかる電動パネルが適用される電子機器の概略構成を示すブロック図である。この電動パネルには、実施例１の図２において、電動パネルが設置される車両の速度を検知する速度検知部４１が接続される構成を有している。この速度検知部４１は、車両に設けられている車速センサやＧ（加速度）センサ、車速パルスなどを用いてもよいし、電子機器１がカーナビゲーションシステムの場合にはそのＧＰＳ機能によって速度を求めることができるのでカーナビゲーションシステムそのものとしてもよい。これらの速度検知部４１によって測定される車両の車速は制御部３４に出力される。なお、速度検知部４１は、コネクタなどの接続部４２によって制御部３４と接続され、この接続部４２は、特許請求の範囲における速度取得手段に対応している。
【００２５】
制御部３４は、パネル３が開いた状態にありかつパネル３の表示面３１ａ上に物体が載置された状態にある場合に、パネル３を閉じないように駆動部２３を制御する機能のほかに、車両の走行中にパネル３が開いた状態にありかつパネル３が開いた状態でその表示面３１ａ上に物体が載置された状態にある場合に、使用者に対してパネル３上の物体を取り除くように注意を促す機能を有することを特徴とする。具体的には、警告出力部３５に対して、パネル３の表示面３１ａ上の物体が存在することを示す信号を出力する。なお、実施例１の図２と同一の構成要素には同一の符号を付してその説明を省略している。
【００２６】
つぎに、電動パネルの動作処理について図７のフローチャートを参照しながら説明する。まず、使用者からのパネル３を開く指示を操作ボタン３１２を介して受けると、駆動部２３によってパネル３が図１−１の閉状態から図１−３に示されるように開状態へと駆動される（ステップＳ３１）。つぎに、制御部３４は、速度検知部４１からの車両の速度情報を得て、該電動パネル（電子機器１）が設置されている車両が走行中か否かを判定し（ステップＳ３２）、走行中でない場合には、実施例１の図５におけるステップＳ１２以降の処理を行う。一方、走行中である場合（ステップＳ３２でＹｅｓの場合）には、走行開始の時点またはパネル３の開状態となった時点のうちいずれか遅い方から所定時間経過したか否かを判定する（ステップＳ３３）。所定時間が経過していない場合（ステップＳ３３でＮｏの場合）には、再生装置２１に記録媒体の挿入または取り出しの操作があったか否かを判定する（ステップＳ３４）。記録媒体の挿入または取り出しの操作があった場合（ステップＳ３４でＹｅｓの場合）、またはステップＳ３３で所定時間が経過した場合（ステップＳ３３でＹｅｓの場合）には、制御部３４は物体検出部３３からの情報によりパネル３上に物体が存在するか否かを判定する（ステップＳ３５）。制御部３４によってパネル３上に物体が存在しないと判定された場合（ステップＳ３５でＮｏの場合）には、駆動部２３に対してパネル３を閉じるように指示を出し、駆動部２３はパネル３を閉じる動作を行って図１−１に示される閉状態にし（ステップＳ３６）、処理が終了する。
【００２７】
一方、ステップＳ３５で制御部３４によってパネル３上に物体が存在すると判定された場合（ステップＳ３５でＹｅｓの場合）には、制御部３４はその旨の信号を警告出力部３５に出力し、警告出力部３５ではその信号を受けて使用者に対して音声や視覚によってパネル３上の物体を取り除くように注意を与える（ステップＳ３７）。また、制御部３４は、パネル３が閉じないように駆動部２３を制御して開状態を継続し（ステップＳ３８）、ステップＳ３２へと戻り、上述した処理を繰り返す。また、ステップＳ３４で記録媒体の挿入または取り出しがなかった場合（ステップＳ３４でＮｏの場合）にも、パネル３が開状態を継続し（ステップＳ３８）、再びステップＳ３２へと戻り、上述した処理を繰り返す。
【００２８】
なお、この実施例２では、電子機器１を車両に搭載した場合を説明したが、移動体に搭載した場合全般について適用することができる。
【００２９】
この実施例２によれば、電子機器１が設置されている場所が車両などの移動体の場合でも、車両が走行中に電子機器１のパネル３が開かれた状態にありパネル３を閉じた方がよい場合でも、その上部に物が載せられている状態を検知して、使用者に対してパネル３上に載せられているものを取り除くように注意を与え、そのものが取り除かれてからパネル３を閉じるようにしたので、パネル３上に一時的に置いた物が、パネル３の閉動作時にパネル３上から落ちてしまうことを防ぐことができる。また、走行中にパネル３が開状態にあると、パネル３が突起物となってしまい衝突事故時に使用者（乗車員）の安全性に問題があるが、その状態を使用者（乗車員）に知らせることによって、そのような状態を早期に解消するきっかけを与えることが可能となる。
【００３０】
上述した実施例１，２では、図１−１〜図１−３に示されるパネルの開閉動作を行なう電動パネルについて説明したが、本発明がこれに限定されるものではなく、パネルの開状態がその上面に物体を載置することが可能な状態となるようにパネルが開閉される電動パネルであれば本発明を適用することができる。たとえば、開状態がパネルの上面がほぼ水平とならずに水平面に対して所定の角度を有するものであっても、その上面に物を載せることが可能であれば、本発明を適用することができる。また、図８に示されるように、電子機器１の機器本体２の前面部下部でパネル３を図示しない軸で支え、この軸を中心に矢印方向にパネルを開閉動作させる構成の電動パネルにも本発明を適用することができる。
【図面の簡単な説明】
【００３１】
【図１−１】車載用電子機器におけるパネルの閉じた状態を示す図である。
【図１−２】車載用電子機器におけるパネルの一つの状態を示す図である。
【図１−３】車載用電子機器におけるパネルの開放状態を示す図である。
【図２】本発明による電動パネルが適用される電子機器の概略構成を示すブロック図である。
【図３】抵抗感圧式のタッチセンサの断面の概略構成を示す図である。
【図４】光位置検出式のタッチセンサの概略構成を示す図である。
【図５】電動パネルの動作手順の一例を示すフローチャートである。
【図６】本発明による電動パネルが適用される電子機器の概略構成を示すブロック図である。
【図７】電動パネルの動作手順の一例を示すフローチャートである。
【図８】パネルの開閉状態の一例を示す図である。
【符号の説明】
【００３２】
１  車載用電子機器
２  機器本体
２ａ  前面部
３  電動パネル
２１，２１ａ〜２１ｃ  再生装置
２２ａ〜２２ｃ  記録媒体挿入口
２３  駆動部
３１  操作パネル部
３１ａ  表示面
３２  動作位置検出部
３３  物体検出部
３４  制御部
３５  警告出力部
４１  速度検知部
３１１  表示部
３１２  操作ボタン
３３４  タッチセンサ
３３５  枠
３３６  発光素子
３３７  受光素子
【図１−１】
2005267707.tif 000003
【図１−２】
2005267707.tif 000004
【図１−３】
2005267707.tif 000005
【図２】
2005267707.tif 000006
【図３】
2005267707.tif 000007
【図４】
2005267707.tif 000008
【図５】
2005267707.tif 000009
【図６】
2005267707.tif 000010
【図７】
2005267707.tif 000011
【図８】
2005267707.tif 000012